(57)【要約】【課題】ユーザーの好みに応じた運転が可能な空気調和機の制御方法を提供する。【解決手段】ユーザーの意思により選択されたお休み時の運転において、その運転中にユーザーにより温度設定が変更された場合、その変更履歴を記憶し、次回以降もその変更に基づき、お休み時のシフト値変更を行うもので、ユーザーの好みに応じた運転が可能となり、就寝中に目覚めて空気調和機（図示せず）の設定を変更するといった行為が発生するのを防止することが出来る。【選択図】図１
2008170080.tif 000002
【特許請求の範囲】
【請求項１】
ユーザーの意思により選択されたお休み時の運転において、その運転中にユーザーにより温度設定が変更された場合、その変更履歴を記憶し、次回以降もその変更に基づき、お休み時のシフト値変更を行うことを特徴とする空気調和機の制御方法。
【請求項２】
お休み運転は、就寝直後、熟睡時、明け方等、複数の種類により異なる運転を行う区分けを有し、その各々の区分け毎に、ユーザーにより温度設定が行われた場合、各々の区分け毎に、その変更履歴を記憶し、かつその区分け毎に以降のお休み時のシフト値変更を行うことを特徴とした請求項１に記載の空気調和機の制御方法。
【請求項３】
シフト値変更の上限値を設けることを特徴とする請求項１に記載の空気調和機の制御方法。
【請求項４】
実際に変更された設定温度に対し、所定の係数を掛けた温度にて実際のシフト値変更を実施することを特徴とする請求項１に記載の空気調和機の制御方法。
【請求項５】
シフト値変更を初期設定に戻すことができるようにしたことを特徴とする請求項１に記載の空気調和機の制御方法。
【発明の詳細な説明】
【技術分野】
【０００１】
本発明は、空気調和機の制御方法に関するものであり、更に具体的にはお休み運転に関するものである。
【背景技術】
【０００２】
従来のこの種の空気調和機の制御方法において、ユーザーからのお休み運転実施の信号が入れられた場合、即時もしくは一定条件成立後にお休み運転制御が行われる。お休み運転制御とは、ユーザーの就寝するという意図に基づいた運転が実施され、具体的には内外のファンの回転数を低下させ、騒音を引き下げるのと同時に風がユーザーに当るのを防止すると共に、また風向変更羽根の向きも変更し、同様にユーザーに風が当るのを防止している。それ以外にも冷房時には冷えすぎを、暖房時には温まり過ぎを防止する為に設定温度を変更し対応を実施してきた（例えば、特許文献１参照）。
【０００３】
従来の空気調和機の制御方法について、図７を用いて説明する。図７は、上記特許文献１に記載された従来の空気調和機の制御方法による冷房運転時のお休み制御の概略図である。
【０００４】
図７において、冷房運転実施の際に、お休み運転の指示がユーザーより出されると、最大１時間経過もしくは、室温がリモコンで設定された温度に到達すると、お休みシフト運転が行われる。その際、風量・風向の制御が変更されるのとあわせ、シフト値の変更が行われる。就寝時は、活動量も少ない為、温度設定が高めになる様にシフトが加算されるのが一般的である。そして一定時間経過すると空気調和機の運転を停止させる（例えば、特許文献１参照）。
【特許文献１】特開平３−２２５１４１号公報
【発明の開示】
【発明が解決しようとする課題】
【０００５】
しかしながら、前記従来の空気調和機の制御方法では、あくまでも空気調和機側から提供されるものであり、個人の好みが反映されたものではなかった。従って良かれと思って変更した温度設定も、人によっては逆に物足りず、就寝中に再度目を覚ましてリモコンの設定を変更する結果を招いてしまうという課題を生じていた。
【０００６】
本発明は、上記従来の課題を解決するもので、最適なお休み運転を実現することができる空気調和機の制御方法を提供することを目的とするものである。
【課題を解決するための手段】
【０００７】
前記従来の課題を解決するために、本発明の空気調和機の制御方法は、ユーザーの意思により選択されたお休み時の運転において、その運転中にユーザーにより温度設定が変更された場合、その変更履歴を記憶し、次回以降もその変更に基づき、お休み時のシフト値変更を行うもので、ユーザーの好みに応じた運転が可能となり、就寝中に目覚めて空気調和機の設定を変更するといった行為が発生するのを防止することが出来る。
【発明の効果】
【０００８】
本発明の空気調和機の制御方法は、ユーザーの温度を変更したいという意図に基づき、次回以降の運転にその意図を反映させることで、ユーザーの好みに応じた運転が可能となり、就寝中に目覚めて空気調和機の設定を変更するといった行為が発生するのを防止することが出来る。
【発明を実施するための最良の形態】
【０００９】
第１の発明は、ユーザーの意思により選択されたお休み時の運転において、その運転中にユーザーにより温度設定が変更された場合、その変更履歴を記憶し、次回以降もその変更に基づき、お休み時のシフト値変更を行うもので、ユーザーの好みに応じた運転が可能となり、就寝中に目覚めてエアコンの設定を変更するといった行為が発生するのを防止することが出来る。
【００１０】
第２の発明は、特に、第１の発明のお休み運転は、就寝直後、熟睡時、明け方等、複数の種類により異なる運転を行う区分けを有し、その各々の区分け毎に、ユーザーにより温度設定が行われた場合、各々の区分け毎に、その変更履歴を記憶し、かつその区分け毎に以降のお休み時のシフト値変更を行うもので、よりユーザーの好みに応じたお休み制御が可能となる。
【００１１】
第３の発明は、特に、第１の発明のシフト値変更の上限値を設けるもので、冷えすぎ・温まりすぎを防止し、就寝時に適した運転が行われる。
【００１２】
第４の発明は、特に、第１の発明の実際に変更された設定温度に対し、所定の係数を掛けた温度にて実際のシフト値変更を実施するもので、冷えすぎ・温まりすぎを防止すると共に、１度の温度変化では温度が変わりすぎて快適ではないというユーザーに対し、よりきめ細やかな住環境を提供することが可能となる。
【００１３】
第５の発明は、特に、第１の発明のシフト値変更を初期設定に戻すことができるようにしたもので、ユーザーが変わった、空気調和機が移設された等の環境の変化、もしくは調整しすぎて今の状態が快適でなくなった等により、初期化したいという要望に対応することが可能となるものである。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の制御方法を示すフローチャートである。
【００１６】
ユーザーの意思によりお休み運転が選択された場合、通常の運転より、風量、風向などがユーザーに直接当らない様にその運転が変更されると同時に設定温度の変更が実施される。つまり冷房時は冷えすぎを防止するため、高めの温度にて運転され、また暖房時は暑くなり過ぎないように低めの温度にて運転が行われるようにシフト値が変更される。
【００１７】
本実施の形態は、そのお休み運転中にユーザーの意思により温度変更が行われた場合、現状のシフトでは不満があると判断し、その変更を記憶し、次回以降のお休み運転においてシフト値を変更したお休み運転を行うようにしたものである。
【００１８】
図１において、通常運転中（ステップ１０１）に、ステップ１０２でお休み制御実施信号が出されると、ステップ１０３にてお休み制御が開始される。その際リモコン等（図示せず）に設けた温度設定変更手段（図示せず）にて温度設定が変更される（ステップ１０４）と、ステップ１０５で、その温度設定の変更が記憶手段（図示せず）に記憶される。その後お休み運転が終了し、通常運転もしくは停止となる。但し、ステップ１０６で、温度設定変更履歴があると判断されると、次回以降の運転が変更される（ステップ１０９〜１１４）。そしてステップ１１２で、変更履歴に基づきシフト値の変更が行われる。
【００１９】
ステップ１０６で温度設定変更履歴が無い場合、おやすみ運転が終了され（ステップ１０７）、通常運転が停止される（ステップ１０８）。
【００２０】
（実施の形態２）
図２は、本発明の第２の実施の形態における空気調和機の制御方法でのお休み制御概略図、図３は、同空気調和機の制御方法を示すフローチャートである。
【００２１】
本実施の形態は、お休み運転が就寝直後、明け方等、時間ファクターにより区分けされた制御において、ユーザーの意思により設定温度が変更された場合、その区分け毎に設定温度を変更することでよりユーザーの好みに即したお休み運転を実施することが出来るようにするものである。
【００２２】
その動きの例を、図２を用いて説明する。図２において、お休みシフト運転開始後の領域を、就寝直後の領域Ａ、熟睡時の領域Ｂ、明け方の領域Ｃと３段階の領域に分けるなどして、運転時間もしくは時刻により区分けして制御するようにしている。
【００２３】
次に、本実施の形態における空気調和機の制御方法を図３を用いて説明する。
【００２４】
図３において、ステップ３０１〜３０４及びステップ３０６〜３１２並びにステップ３１４、３１５は、各々図１のステップ１０１〜１０４、及びステップ１０５〜１１１並びにステップ１１３、１１４に相当するので詳細は省略する。また図３のフローにおいて、お休み運転開始後、ステップ３０４で、設定温度認識手段（図示せず）により設定温度の変更が行われた場合、ステップ３０５で温度設定変更領域認識手段（図示せず）にて変更が行われた領域が認識される。そして温度設定変更が行われた次回以降の運転ではステップ３１３で、温度設定変更領域の変更記憶に基づくシフト値変更手段（図示せず）にて変更された領域毎に、温度シフトが変更される。その結果、よりユーザーの好みに応じたお休み制御が可能となる。
【００２５】
（実施の形態３）
図４は、本発明の第３の実施の形態における空気調和機の制御方法を示すフローチャートである。
【００２６】
本実施の形態における空気調和機の制御方法は、お休み運転時にユーザーの意思により変更された履歴に応じてシフト値の変更を行う際に、その変更するシフト値の上限を定めるようにしたものである。
【００２７】
図４において、第１の実施の形態と同じように、お休み制御中に、温度設定が変更された場合、その変更を記憶し次回以降の運転に反映させる。ステップ４０１〜４１２は各々図１のステップ１０１〜１１２に相当するので詳細は省略する。
【００２８】
そしてその変更履歴に基づきシフトの変更が行われるが、ステップ４１３で、変更されたシフト値が、規定値以下か以上かの判定を行い、変更シフト値が規定値より大きい場合は、その規定値分のみシフトの変更が行われ（ステップ４１７）、結果上限が設定されることとなる。反対に変更シフト値が規定値より小さい場合は、変更記憶に基づくシフト値変更が行なわれ（ステップ４１４）、以降はお休み運転が終了され（ステップ４１５、ステップ４１８）、通常運転に戻り停止される（ステップ４１６、ステップ４１９）。その結果、冷えすぎ・温まりすぎを防止し、就寝時に適した運転が行われる。
【００２９】
（実施の形態４）
図５は、本発明の第４の実施の形態における空気調和機の制御方法を示すフローチャートである。
【００３０】
本実施の形態における空気調和機の制御方法は、お休み運転時にユーザーの意思により変更された履歴に応じてシフト値の変更を行う際に、その変更するシフト値に係数をかけ変更する数字を抑制したものである。
【００３１】
図５において、ステップ５０１〜５１１及びステップ５１３、５１４は各々図１のステップ１０１〜１１１及びステップ１１３、１１４に相当するので詳細は省略する。
【００３２】
上記第１の実施の形態同様にお休み制御中に温度設定が変更された場合、その変更を記憶し次回以降の運転に反映させる。そしてその変更履歴に基づきシフトの変更が行われるが、ステップ５１２で、温度変更記憶に対し所定の係数を掛けたシフト値に変更手段（図示せず）にて、実際に変更された値より抑制されたシフト値に変更される。その結果、冷えすぎ・温まりすぎを防止すると共に、１度の温度変化では温度が変わりすぎて快適ではないというユーザーに対し、よりきめ細かやかな住環境を提供することが可能となる。
【００３３】
（実施の形態５）
図６は、本発明の第５の実施の形態における空気調和機の制御方法を示すフローチャートである。
【００３４】
本実施の形態における空気調和機の制御方法は、お休み運転時にユーザーの意思により変更された履歴に応じてシフト値の変更を行う際に、ユーザーの別の操作により今迄の温度設定変更により変更されたシフト値をリセットできるようにしたものである。
【００３５】
図６において、ステップ６０１〜６１４は各々図１のステップ１０１〜１１４に相当するので詳細は省略する。
【００３６】
第１の実施の形態同様に、お休み制御中に温度設定が変更された場合、その変更を記憶し次回以降の運転に反映させる。そしてその変更履歴に基づきシフトの変更が行われるが、ステップ６１５で、変更シフト値のリセット実施が選択された場合、ステップ６１６で、今迄記憶されたシフト値を初期化、すなわちゼロにして、購入時の状態に戻すようにしたものである。
【００３７】
その結果、ユーザーが変わった、空気調和機が移設された等の環境の変化、もしくは調整しすぎて今の状態が快適でなくなった等により、初期化したいという要望に対応することが可能となるものである。
【産業上の利用可能性】
【００３８】
以上のように、本発明にかかる空気調和機は、お休み運転中のユーザーの温度設定の変更を記憶し、次回以降の運転に反映させることでよりユーザーの好みに即したお休み運転を可能にすることが出来る。
【図面の簡単な説明】
【００３９】
【図１】本発明の実施の形態１における空気調和機の制御方法を示すフローチャート
【図２】本発明の実施の形態２における空気調和機の制御方法でのお休み制御概略図
【図３】同空気調和機の制御方法を示すフローチャート
【図４】本発明の実施の形態３における空気調和機の制御方法を示すフローチャート
【図５】本発明の実施の形態４における空気調和機の制御方法を示すフローチャート
【図６】本発明の実施の形態５における空気調和機の制御方法を示すフローチャート
【図７】従来の空気調和機の制御方法による冷房運転時のお休み制御の概略図
【図１】
2008170080.tif 000003
【図２】
2008170080.tif 000004
【図３】
2008170080.tif 000005
【図４】
2008170080.tif 000006
【図５】
2008170080.tif 000007
【図６】
2008170080.tif 000008
【図７】
2008170080.tif 000009